(57)【要約】【課題】熱交換の効率化を改善して、除湿対象の空気の除湿効率を高める。【解決手段】対象の空気を吸入して当該空気に含まれる水分を吸い取る手段と、前記水分を含む相対的に高温である空気に対して前記除湿対象の空気の吸入ルートとは異なるルートから吸入された相対的に低温である空気を用いて熱交換を行う手段とを備える。【選択図】  図５
2009087779.tif 000002
【特許請求の範囲】
【請求項１】
除湿対象の空気を吸入して当該空気に含まれる水分を吸い取る手段と、
前記水分を含む相対的に高温である空気に対して前記除湿対象の空気の吸入ルートとは
異なるルートから吸入された相対的に低温である空気を用いて熱交換を行う手段とを
備える除湿装置。
【請求項２】
前記除湿対象の空気を吸入する第１ファンと、
前記相対的に低温である空気を吸入する第２ファンとを備える、請求項１記載の
除湿装置。
【請求項３】
さらに、前記相対的に高温である空気を、前記熱交換を行う手段に対して送る
第３ファンを備える、請求項１記載の除湿装置。
【請求項４】
前記各空気は、一つのモータに連結される複数のファンを回転させることによって
流されている、請求項１記載の除湿装置。
【請求項５】
前記相対的に低温である空気の流路を規定する規定部を有する、請求項１記載の
除湿装置。
【発明の詳細な説明】
【技術分野】
【０００１】
本発明は、除湿装置に関し特に、室内の空気を効率よく除湿する除湿装置に関する。
【背景技術】
【０００２】
特許文献１には、除湿すべき空気を本体内へ吸入し、かつこの空気を顕熱交換器の一方の通路を経て、回転自在な吸湿ロータへ送り、吸湿ロータで除湿された空気を本体外へ排出する第１ファンと、ヒータにより加熱された空気を上記除湿ロータへ送って吸湿ロータの水分を蒸発させることにより吸湿ロータを再生し、かつ高湿となった空気を上記顕熱交換器の他方の通路へ送って顕熱交換器内で結露を発生させた後、再びヒータを経て吸湿ロータへ循環させる第２ファンと、上記顕熱交換器内に結露した結露水を回収する手段とを具備したことを特徴とする除湿装置が開示されている。【０００３】
この除湿装置では、吸入された室内の空気は、顕熱交換器、吸湿ロータを経て、外部に排出される。また、除湿装置内の循環空気は、ヒータ、吸湿ロータ、顕熱交換器というサイクルで流れる。【０００４】
【特許文献１】特許２８１９４９７号
【発明の開示】
【発明が解決しようとする課題】
【０００５】
しかし、特許文献１に開示されている除湿装置は、熱交換の効率化を改善する余地がある。熱交換が効率よくなされないと、除湿対象の空気の除湿効率も限定的になる。顕熱交換器は、除湿対象の空気の流路でみれば、吸湿ロータに対して前に位置し、顕熱交換器と吸湿ロータとの間の距離がほとんどないため、顕熱交換器の冷却効率が悪く、結果として除水量が少なかった。【０００６】
そこで、本発明は、熱交換の効率化を改善して、除湿対象の空気の除湿効率を高めることを課題とする。
【課題を解決するための手段】
【０００７】
上記課題を解決するために、本発明の除湿装置は、除湿対象の空気を吸入して当該空気に含まれる水分を吸い取る手段と、前記水分を含む相対的に高温である空気に対して前記除湿対象の空気の吸入ルートとは異なるルートから吸入された相対的に低温である空気を用いて熱交換を行う手段とを備える。【０００８】
具体的には、この除湿装置は、一例ではあるが、前記除湿対象の空気を吸入する第１ファンと、前記相対的に低温である空気を吸入する第２ファンとを備えている。もっとも、この除湿装置は、さらに、前記相対的に高温である空気を、前記熱交換を行う手段に対して送る第３ファンを備えている。この場合、各ファンは、一つのモータによって回転すれば、除湿装置の省スペース化を維持できる。さらには、前記相対的に低温である空気の流路を規定する規定部を有すると、熱交換の効率化が一層向上される。
【発明の実施の形態】
【０００９】
以下、本発明の実施形態について、図面を参照して説明する。
図１は、本発明の実施形態の除湿装置の模式的な内部構成を示す側面図である。図２は、図１の側面図である。図３は、図１のＡ−Ａ間の断面図である。図４は、図１のＢ−Ｂ間の断面図である。図５は、図１に示す除湿装置の分解斜視図である。なお、図５には、模式的な空気の流れを矢印で示している。
【００１０】
図１等には、以下説明する、ロータモータ１と、ロータホイール２と、ロータホイール３と、ＰＴＣ（Positive Temperature Coefficient）ヒータカバー４と、ファンケース５と、前ファン６と、ファン固定プレート７と、中ファン８と、排出ダクト９と、下部熱交換器ホルダ１０と、ＡＣモータ１１と、ロータケースカバー１２と、ロータケース１３と、吸湿ロータ１４と、ＰＴＣヒータ１５と、ロータケース１６と、通気ダクト１７と、ファン固定プレート１８と、ファンケース１９と、上部熱交換器ホルダ２０と、熱交換器ケース２１と、熱交換器用パイプ２２と、モータケース２３と、ファンケース２４と、後ファン２５と、ファンケースカバー２６とを示している。
【００１１】
以下、説明の都合上、図５を参照しつつ、各部材について順次説明する。
【００１２】
ロータケース１３は、除湿対象の空気吸入上流に設けられている。ロータケース１３は、ロータケース１６とともに、吸湿ロータ１４を収容するケースである。ロータケース１３には、吸湿ロータ１４の除湿対象の空気の吸入位置に対応した開口部が形成されている。具体的には、この開口部は、吸湿ロータ１４の面積の例えば２／３程度の大きさの扇形としている。また、ロータケース１３は、開口部の円弧の両端間から円弧の外に向けて延びる隆起部分が形成されている。この隆起部分は、ＰＴＣヒータ１５によって加温されてから吸湿ロータ１４を通過する、除湿装置内の循環空気を、熱交換器ケース２１に送る部分となる。
【００１３】
ロータケースカバー１２は、上記隆起部分に対して一体的に形成されていて、ロータケースカバー１２の平面方向に対する直交部分に、螺子止め等により取り付けられている。
【００１４】
ロータモータ１は、吸湿ロータ１４を回転させるためのモータである。ロータモータ１は、本実施形態では、ロータケース１３の下部に設置されているが、ロータモータ１の設置場所はこれに限定されるものではない。なお、ロータモータ１を用いることなく、吸湿ロータ１４によって吸い取られた水分の重さを利用して、吸湿ロータ１４を回転させることも可能である。
【００１５】
ロータホイール２は、ロータホイール３とともに、吸湿ロータ１４を収容するホイールである。ロータホイール２は、吸湿ロータ１４に対応する大きさで、例えば６つのスポークを有する輪状である。ロータホイール２の周縁部分には、歯が刻まれていて、ロータモータ１に接続されている歯車と噛み合うように構成されている。したがって、ロータモータ１を駆動することによって、吸湿ロータ１４が回転することになる。
【００１６】
ロータホイール３は、ロータホイール２と同様に、例えば６つのスポークを有する輪状のものである。ロータホイール２，３は、吸湿ロータ１４を挟みこみ、除湿装置内における吸湿ロータ１４の位置決めを行っている。ロータホイール３の周縁部分には、ロータホイール２と結合するための例えば４つの結合部が設けられている。
【００１７】
吸湿ロータ１４は、上記のように、ロータホイール２，３によって位置決めがなされ、ロータホイール２，３と共に、中心軸周りに回転自在とされている。吸湿ロータ１４は、ロータケース１３の開口部を通じて吸入される除湿対象の空気を受け、この空気に含まれている湿気を吸い取るものである。吸湿ロータ１４は、炭酸カルシウム、塩化カルシウム、塩化リチウム、シリカゲル、水酸化アルミニウム、モレキューラシーブス、タルク、ゾノトライト、ケイ酸化マグネシウム、パルプ等の湿気を吸収或いは吸着する物質を含浸又はコーティングしたものとしている。
【００１８】
ロータケース１６は、ロータケース１３の開口部に対応する箇所に、開口部が形成されている。また、ロータケース１６は、ロータケース１３における既述の隆起部分に対応する箇所には、除湿装置内を循環する循環空気の通路が形成されている。
【００１９】
ＰＴＣヒータ１５は、ロータケース１６に形成されている循環空気の通路内に装着される。ＰＴＣヒータ１５は、温度制御機能を有するヒータである。ＰＴＣヒータ１５の基本原理は、温度の上昇により抵抗が増加して発熱を停止し、温度の下降により抵抗が減少して発熱を再開するものである。なお、ＰＴＣヒータ１５を設けることは必須ではない。ＰＴＣヒータ１５を設ける意図は、熱交換器用パイプ２２での熱交換を実現することであるので、例えば、熱交換器用パイプ２２へ送る冷却用の空気を、冷却装置を用いて冷却することで、除湿を行うことも可能である。
【００２０】
ＰＴＣヒータカバー４は、ロータケース１６の循環空気の通路内に装着されるＰＴＣヒータ１５を、ロータケース１６に固定するものである。
【００２１】
通気ダクト１７は、上記循環空気を、ＰＴＣヒータ１５に向けて通すダクトである。通気ダクト１７は、ロータケース１６の上記通路の開口部に取り付けられる。通気ダクト１７を通る循環空気は、ＰＴＣヒータ１５によって加熱される。
【００２２】
ファンケース５は、前ファン６のケースである。ファンケース５は、前ファン６に対応する大きさの開口部が形成されている。なお、除湿された空気は、ファンケース５と前ファン６との隙間を通り、図示しない排出口を経由して、除湿装置外に排出される。
【００２３】
前ファン６は、除湿対象の空気を除湿装置内に吸入するためのものである。本実施形態の除湿装置は、前ファン６と中ファン８と後ファン２５という、３つのファンを備えているが、前ファン６の直径が最も小さい。各ファン６，８，２５の径を異ならせているのは、本実施形態では、ＡＣモータ１１という一つのモータを用いて、合計３つの各ファン６，８，２５を回転させていることが一要因である。この点については、後述する。
【００２４】
ファン固定プレート１８は、前ファン６を、ＡＣモータ１１に連結するためのプレートである。具体的には、ファン固定プレート１８は、中央部分に孔が設けられていて、この孔内に対して、ＡＣモータ１１に接続されているシャフトが通された状態で、前ファン６とＡＣモータ１１との連結がなされる。
【００２５】
中ファン８は、熱交換器用パイプ２２を冷却するために、除湿装置の外部から冷却用の空気を吸入するものである。中ファン８は、前ファン６及び後ファン２５に比して、最も直径が大きいし、ファンの幅（図４の左右方向の長さ）もある。中ファン８は、図３に示すように、その中心軸が、熱交換器用パイプ２２の各パイプの軸方向と直交する態様で、熱交換器用パイプ２２に隣接設置されている。このため、冷却用の空気を、熱交換器用パイプ２２のパイプ間に、効率よく通過させることが可能となる。なお、中ファン８の直径を、前ファン６の直径よりも大きくする理由は、除湿対象の空気の吸入及び排出量よりも、熱交換器用パイプ２２の冷却用の空気の吸入及び排出量が多く必要であるためである。こうして、本実施形態では、熱交換効率を向上させている。
【００２６】
ファン固定プレート７は、中ファン８を、ＡＣモータ１１に連結するためのプレートである。具体的には、ファン固定プレート７は、中央部分に孔が設けられていて、この孔内に対して、ＡＣモータ１１に接続されているシャフトが通された状態で、中ファン８とＡＣモータ１１との連結がなされる。
【００２７】
ファンケース１９は、前ファン６と中ファン８との双方を収容するケースである。ファンケース１９は、前ファン６の収容部と中ファン８の収容部とが仕切られていて、除湿対象の空気と熱交換器用パイプ２２の冷却用の空気とが混在しないようにしてある。また、ファンケース１９は、図３に示すように、熱交換器用パイプ２２を冷却する冷却用の空気が、熱交換器用パイプ２２に対して効率よく当たるように、風向きを規定する規定部１９Ａが端部に設けられている。
【００２８】
熱交換器ケース２１は、熱交換器用パイプ２２の上方に設けられていて、吸湿ロータ１４を通過することによって高温多湿となった循環空気を、熱交換器用パイプ２２に送るものである。
【００２９】
上部熱交換器ホルダ２０は、熱交換器用パイプ２２の上部側と連結されるものである。具体的には、上部熱交換器ホルダ２０には、熱交換器用パイプ２２の各パイプに連結される複数の孔が設けられている。熱交換器ケース２１を通じて送られてきた循環空気は、これらの孔を通じて、熱交換器用パイプ２２に送られる。上部熱交換器ホルダ２０は、規定部１９Ａと同様の趣旨で設けられていて、熱交換器用パイプ２２に対して、冷却用の空気を効率よく当てるためのものである。
【００３０】
熱交換器用パイプ２２は、高温多湿の循環空気の熱エネルギーを、中ファン８を回転させることによって除湿装置内に取り込んだ低温の冷却用の空気に伝えるものである。循環空気は、熱交換器用パイプ２２を通る際に冷却され、その一部は各パイプ内で結露することになる。
【００３１】
下部熱交換器ホルダ１０は、熱交換器用パイプ２２の下部側と連結されるものである。具体的には、下部熱交換器ホルダ１０には、熱交換器用パイプ２２の各パイプに連結される複数の孔が設けられている。熱交換器２６によって冷却された循環空気は、排出ダクト９に送られる。下部熱交換器ホルダ１０は、規定部１９Ａと同様の趣旨で設けられていて、熱交換器用パイプ２２に対して、冷却用の空気を効率よく当てるためのものである。
【００３２】
排出ダクト９は、下部熱交換器ホルダ１０を経由した循環空気を後ファン２５に向けて排出すると共に、熱交換器用パイプ２２のパイプ内の結露水を、図示しない容器に排出するものである。
【００３３】
ＡＣモータ１１は、前ファン６と中ファン８と後ファン２５との各々を回転させるものである。もっとも、前ファン６と中ファン８と後ファン２５とを、一つのＡＣモータによって回転させるのではなく、複数のＡＣモータによって回転させてもよい。
【００３４】
モータケース２３は、ＡＣモータ１１を収容するケースである。具体的には、モータケース２３は、ＡＣモータ１１に対応する大きさの窪部、及び、ＡＣモータ１１に接続されるシャフトを通す開口部が形成されている。この窪部部内に、ＡＣモータ１１が収容され、螺子止めなどによって、モータケース２３に固定される。また、モータケース２３は、図３に示すように、熱交換器用パイプ２２を冷却する冷却用の空気が、熱交換器用パイプ２２に対して効率よく当たるように、風向きを規定する規定部２３Ａが端部に設けられている。なお、モータケース２３のうち、ＡＣモータ１１の外周を覆う部分などに、熱交換器用パイプ２２を冷却するための外気を通す開口部を設けてもよい。
【００３５】
ファンケース２４は、後ファン２５を収容するケースである。ファンケース２４には、モータケース２３の窪部を受ける開口部が形成されている。また、ファンケース２４の上部には、通気ダクト１７と連結され、後ファン２５側から送られてくる循環空気を通気１７に送る開口部が形成されている。
【００３６】
後ファン２５は、除湿装置内の循環空気の当該循環を実現するファンである。後ファン２５は、後ファン２５は、前ファン６より直径が大きいが、中ファン８ほどではない。なお、各ファン６，８，２５の直径は、例えば１５８ｍｍ、２０８ｍｍ、１８８ｍｍとしている。この場合、各ファン６，８，２５の直径比率は１：１．３７：１．１９となるが、一例として、１：１．２〜１．４：１．１〜１．３の範囲から適宜決定すればよい。また、各ファン６，８，２５の幅は３０ｍｍ、３４ｍｍ、２３ｍｍとしている。この場合、各ファン６，８，２５の幅比率は１：１．１３：０．７７となるが、一例として、１：１．１〜１．３：０．７〜０．９の範囲から適宜決定すればよい。
【００３７】
ファン固定プレート２７は、後ファン２５を、ＡＣモータ１１に連結するためのプレートである。具体的には、ファン固定プレート２７は、中央部分に孔が設けられていて、この孔内に対して、ＡＣモータ１１に接続されているシャフトが通された状態で、後ファン２５とＡＣモータ１１との連結がなされる。
【００３８】
ファンケースカバー２６は、後ファン２５を挟み込む態様で、ファンケース２４に螺子止め等によって取り付けられるカバーである。
【００３９】
つぎに、図１に示す除湿装置の動作時の空気の流れについて説明する。まずは、除湿対象の空気に関して説明する。
【００４０】
除湿装置の電源がオンされると、ロータモータ１及びＡＣモータ１１が駆動する。これに伴って、吸湿ロータ１４が回転を開始し、かつ、各ファン６，８，２５が回転を開始する。また、ＰＴＣヒータ１５が通電することで、発熱を開始する。
【００４１】
前ファン６が回転すると、除湿装置内の空気を排気しようとすることになるので、除湿装置周辺の空気、すなわち、除湿対象の空気が、除湿装置内に吸入されることになる。具体的には、ロータケース１３の開口部を通じて、除湿対象の空気が、除湿装置内に吸入される。
【００４２】
つづいて、除湿対象の空気は、ロータホイール２のスポーク間を介して、吸湿ロータ１４に到達する。この結果、除湿対象の空気中の湿気が、吸湿ロータ１４によって吸い取られる。吸湿ロータ１４は、既述のように、ロータモータ１の駆動により回転されるので、吸湿ロータ１４の湿気吸取部分は、ＰＴＣヒータ１５に向けて移動される。
【００４３】
一方、吸湿ロータ１４を通過することによって除湿処理がなされた空気は、ロータホイール３のスポーク間を介して、ロータケース１６を通り、前ファン６に到達する。除湿処理がなされた空気は、前ファン６の回転により、除湿装置の外部へ排気される。以上のような工程によって、除湿対象の空気は、除湿される。
【００４４】
また、ＡＣモータ１１の駆動により、後ファン２５が回転されるので、除湿装置内の循環空気の循環が実現される。さらに、ＰＴＣヒータ１５が通電されることで、循環空気が加熱される。吸湿ロータ１４には、ＰＴＣヒータ１５によって加熱された高温低湿の循環空気が通される。吸湿ロータ１４によって吸い取られた湿気は、高温低湿の循環空気と接触することによって乾燥されるので、吸湿ロータ１４から湿気が除去される。これにより、吸湿ロータ１４は、除湿対象の空気の湿気が吸収可能となる。
【００４５】
一方、吸湿ロータ１４を通過した循環空気は、高温多湿状態となり、ロータケース１３の隆起部分、ロータケースカバー１２を介して、熱交換器ケース２１に到達する。さらに、当該循環空気は、上部熱交換器ホルダ２０の孔を通じて、熱交換器用パイプ２２に進む。
【００４６】
ＡＣモータ１１の駆動により、中ファン８が回転され、しかも、下部熱交換器ホルダ１０、上部熱交換器ホルダ２０、規定部１９Ａ、規定部２３Ａによって囲まれる部分に対応する位置に、熱交換器用パイプ２２が設けられているので、熱交換器用パイプ２２のパイプ間に、効率よく相対的に多量の空気が流れることになる。この空気は、熱交換器用パイプ２２内を通る循環空気よりも相対的に低温であるので、結果的には、循環空気を冷却することになる。なお、規定部１９Ａ等を設けたのは、熱交換器用パイプ２２のパイプ間は空気抵抗が相対的に高いので、仮に、規定部１９Ａ等を設けなかった場合には、パイプ間を避けて通る空気量が増加して、熱交換器用パイプ２２の冷却効率が低下するためである。
【００４７】
なお、この冷却用の空気は、除湿対象の空気とは異なるルートで、除湿装置の外部から吸入され、熱交換器用パイプ２２のパイプ間を経由して、除湿対象の空気とは異なる    ルートで、除湿装置の外部へ排気される。
【００４８】
循環空気は、熱交換器用パイプ２２内で冷却されることで熱交換される。循環空気は、熱交換によって一部が液化されるので、熱交換器用パイプ２２の内壁には結露が発生する。結露は、所定量を超えると、自重により、当該内壁をつたって、下部熱交換器ホルダ１０の孔、及び、排出ダクト９を通って容器に到達する。
【００４９】
また、熱交換器用パイプ２２内で冷却された循環空気は、下部熱交換器ホルダ１０の孔、及び、排出ダクト９を通って、後ファン２５に到達する。そして、循環空気は、後ファン２５の回転により、通気ダクト１７に送られる。通気ダクト１７には、ＰＴＣヒータ１５が設けられているので、循環空気は、既述のように、過熱されて、高温低湿状態となる。
【実施例】
【００５０】
図６は、本発明の実施例の除湿装置の分解斜視図であり、図５に対応するものである。図６に示す除湿装置は、図５のものと同様であるが、以下の点を変更している。なお、これらの変更点は、全てを採用することが必須ではなく、図５に示した除湿装置に対して選択的に採用してもよい。【００５１】
ファンケース５及びファンケース１９は、その上部に、前ファン６を回転させることによって、処理後の空気を排出する際の流路を規定する規定部を設けている。これにより、処理後の空気と熱交換器用パイプ２２へ送る冷却用空気とが混在することを抑止している。【００５２】
ロータケースカバー１２は、幅寸法（処理対象の空気の流れに直交する方向：図面の奥行き方向）を狭めるため、形状を変更している。具体的には、幅寸法を狭めるとともに、厚み処理対象の空気の流れる方向）を増加させるような形状としている。【００５３】
ＰＴＣヒータカバー４、ＰＴＣヒータ１５との位置ずれがなくなるように、例えば、３本のリブを追加している。【００５４】
熱交換器ケース２１は、その上斜部に、電源プリント基板ボードアッセンブリを装着するためのネジボスを設けている。なお、電源プリント基板ボードアッセンブリの装着箇所は、熱交換器ケース２１に限定されず、装置の筺体内のデッドスペースをなくせるような箇所とすればよい。【００５５】
冷却用ファン８Ａは、ＡＣモータ１１との連結をやめ、別途、冷却用８Ａ駆動用のモータを内蔵等し、中ファン８に対して回転軸を直交させている。この結果、冷却用ファン８Ａの径は中ファン８の径よりも小さくなるので省スペース化が図れ、冷却用ファン８Ａの向きを流路に対応させることで効果的に熱交換器用パイプ２２を冷却するようにしている。
【図面の簡単な説明】
【００５６】
【図１】本発明の実施形態の除湿装置の模式的な内部構成を示す側面図である。
【図２】図１の側面図である。
【図３】図１のＡ−Ａ間の断面図である。
【図４】図１のＢ−Ｂ間の断面図である。
【図５】図１に示す除湿装置の分解斜視図である。
【図６】本発明の実施例の除湿装置の分解斜視図である。
【符号の説明】
【００５７】
ロータモータ１、ロータホイール２、ロータホイール３、ＰＴＣヒータカバー４、ファンケース５、前ファン６、ファン固定プレート７、中ファン８、排出ダクト９、下部熱交換器ホルダ１０、ＡＣモータ１１、ロータケースカバー１２、ロータケース１３、吸湿ロータ１４、ＰＴＣヒータ１５、ロータケース１６、通気ダクト１７、ファン固定プレート１８、ファンケース１９、上部熱交換器ホルダ２０、熱交換器ケース２１、熱交換器用パイプ２２、モータケース２３、ファンケース２４、後ファン２５、ファンケースカバー２６
【図１】
2009087779.tif 000003
【図２】
2009087779.tif 000004
【図３】
2009087779.tif 000005
【図４】
2009087779.tif 000006
【図５】
2009087779.tif 000007
【図６】
2009087779.tif 000008
【手続補正書】
【提出日】平成20年10月8日(2008.10.8)
【手続補正１】
【補正対象書類名】特許請求の範囲
【補正対象項目名】全文
【補正方法】変更
【補正の内容】
【特許請求の範囲】
【請求項１】
除湿対象の空気を吸入して当該空気に含まれる水分を吸湿する、炭酸カルシウム、塩化カルシウム、塩化リチウム、シリカゲル、水酸化アルミニウム、モレキューラシーブス、タルク、ゾノトライト、ケイ酸化マグネシウム、パルプのいずれかを含む吸湿ロータと、
前記除湿対象の空気の吸入位置の上流に設けられていて、前記吸入位置に対応した扇形の開口部と、当該開口部の円弧の両端間から円弧外に向けて延びる隆起部分とが形成されていて、前記吸湿ロータを収容する第１ロータケースと、
前記隆起部分に対して一体的に形成されているロータケースカバーと、
前記第１ロータケースの下部に設置されていて前記吸湿ロータを回転させるためのロータモータと、
少なくとも一方が前記吸湿ロータに対応する大きさで、複数のスポークを有する輪状であって、周縁部分に歯が刻まれていて前記ロータモータに接続されている歯車と噛み合うように構成されている一対のロータホイールと、
前記第１ロータケースの開口部に対応する箇所に開口部が形成されていて、前記隆起部分に対応する箇所に除湿装置本体内を循環する循環空気の通路が形成されている第２ロータケースと、
前記第２ロータケースに形成されている前記循環空気の通路内に装着されていて、温度制御機能を有するＰＴＣヒータと、
前記ＰＴＣヒータを前記第２ロータケースに固定するためのＰＴＣヒータカバーと、
前記第２ロータケースの上記通路の開口部に取り付けられていて前記循環空気を前記ＰＴＣヒータに向けて通す通気ダクトと、
前記除湿対象の空気を吸入する前ファンと、
前記前ファンに対応する大きさの開口部が形成されている、当該前ファンをケーシングする第１ファンケースと、
高温多湿の前記循環空気の熱エネルギーを除湿装置本体内に取り込んだ低温の冷却用の空気に伝える熱交換器用パイプと、
前記熱交換器用パイプの各パイプの軸方向と直交する態様で当該熱交換器用パイプに隣接設置されている中心軸を有し、前記熱交換器用パイプを冷却するために除湿装置本体の外部から冷却用の空気を吸入する中ファンと、
前記前ファンの収容部と前記中ファンの収容部とが仕切られていて、前記前ファンと前記中ファンとの双方を収容する第２ファンケースと、
前記相対的に高温である循環空気を、前記熱交換器用パイプに対して送る後ファンと、
前記前ファンと前記中ファンと前記後ファンとの各々を回転させるＡＣモータと、
前記第２ファンケースに設けられていて前記熱交換器用パイプを冷却する冷却用の空気が、当該熱交換器用パイプに対して効率よく当たるように、風向きを規定する第１規定部と、
前記熱交換器用パイプの上方に設けられていて、前記吸湿ロータを通過することによって高温多湿となった循環空気を、前記熱交換器用パイプに送る熱交換器ケースと、
前記熱交換器用パイプの上部側と連結され、前記熱交換器ケースを通じて送られてきた循環空気を送るための、当該熱交換器用パイプの各パイプに連結される複数の孔が設けられている上部熱交換器ホルダと、
前記熱交換器用パイプの下部側と連結され、前記熱交換器用パイプの各パイプに連結される複数の孔が設けられている下部熱交換器ホルダと、
前記下部熱交換器ホルダを経由した循環空気を前記後ファンに向けて排出すると共に、前記熱交換器用パイプのパイプ内の結露水を容器に排出する排出ダクトと、
前記ＡＣモータに対応する大きさの窪部及び当該ＡＣモータに接続されるシャフトを通す開口部が形成されていて、かつ、前記ＡＣモータの外周を覆う部分に前記熱交換器用パイプを冷却するための外気を通す開口部が設けられている、ＡＣモータを収容するモータケースと、
前記モータケースの端部に設けられていて、前記熱交換器用パイプを冷却する冷却用の空気が、当該熱交換器用パイプに対して効率よく当たるように、風向きを規定する第２規定部と、
前記モータケースの窪部を受ける開口部が形成されていて、かつ、上部で前記排出ダクトと連結されていて前記後ファンから送られてくる循環空気を通気に送る開口部が形成されている、前記後ファンを収容する第３ファンケースと、
中央部分に孔が設けられていて、この孔内に対して、前記ＡＣモータに接続されているシャフトが通された状態で、前記後ファンを前記ＡＣモータに連結するファン固定プレートと、
前記後ファンを挟み込む態様で、前記第３ファンケースに取り付けられるファンケースカバーと、を備え、
前記前ファンと前記中ファンと前記後ファンは、直径比率が１：１．２〜１．４：１．１〜１．３であって、かつ、幅比率が１：１．１〜１．３：０．７〜０．９であり、
前記第１ファンケース及び前記第２ファンケースは、その上部に、前記前ファンを回転させることによって、処理後の空気を排出する際の流路を規定する規定部が設けられていて、
除湿された空気が前記第１ファンケースと前記前ファンとの隙間を通り排出され、かつ、前記冷却用の空気が、前記除湿対象の空気とは異なるルートで排気され、
前記ＡＣモータの外周を覆う部分に前記熱交換器用パイプを冷却するための外気を通す開口部が設けられている除湿装置。
【請求項２】
前記中ファンに代えて、当該中ファンの回転軸とは直交する回転軸を有する冷却用ファンと、前記冷却用ファン駆動用のモータとを備え、前記ＡＣモータは、前記前ファンと前記後ファンとを回転させる、請求項１記載の除湿装置。
【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
除湿対象の空気を吸入して当該空気に含まれる水分を吸湿する、炭酸カルシウム、塩化カルシウム、塩化リチウム、シリカゲル、水酸化アルミニウム、モレキューラシーブス、タルク、ゾノトライト、ケイ酸化マグネシウム、パルプのいずれかを含む吸湿ロータと、
前記除湿対象の空気の吸入位置の上流に設けられていて、前記吸入位置に対応した扇形の開口部と、当該開口部の円弧の両端間から円弧外に向けて延びる隆起部分とが形成されていて、前記吸湿ロータを収容する第１ロータケースと、
前記隆起部分に対して一体的に形成されているロータケースカバーと、
前記第１ロータケースの下部に設置されていて前記吸湿ロータを回転させるためのロータモータと、
少なくとも一方が前記吸湿ロータに対応する大きさで、複数のスポークを有する輪状であって、周縁部分に歯が刻まれていて前記ロータモータに接続されている歯車と噛み合うように構成されている一対のロータホイールと、
前記第１ロータケースの開口部に対応する箇所に開口部が形成されていて、前記隆起部分に対応する箇所に除湿装置本体内を循環する循環空気の通路が形成されている第２ロータケースと、
前記第２ロータケースに形成されている前記循環空気の通路内に装着されていて、温度制御機能を有するＰＴＣヒータと、
前記ＰＴＣヒータを前記第２ロータケースに固定するためのＰＴＣヒータカバーと、
前記第２ロータケースの上記通路の開口部に取り付けられていて前記循環空気を前記ＰＴＣヒータに向けて通す通気ダクトと、
前記除湿対象の空気を吸入する前ファンと、
前記前ファンに対応する大きさの開口部が形成されている、当該前ファンをケーシングする第１ファンケースと、
高温多湿の前記循環空気の熱エネルギーを除湿装置本体内に取り込んだ低温の冷却用の空気に伝える熱交換器用パイプと、
前記熱交換器用パイプの各パイプの軸方向と直交する態様で当該熱交換器用パイプに隣接設置されている中心軸を有し、前記熱交換器用パイプを冷却するために除湿装置本体の外部から冷却用の空気を吸入する中ファンと、
前記前ファンの収容部と前記中ファンの収容部とが仕切られていて、前記前ファンと前記中ファンとの双方を収容する第２ファンケースと、
前記相対的に高温である循環空気を、前記熱交換器用パイプに対して送る後ファンと、
前記前ファンと前記中ファンと前記後ファンとの各々を回転させる一つのＡＣモータと、
前記第２ファンケースに設けられていて前記熱交換器用パイプを冷却する冷却用の空気が、当該熱交換器用パイプに対して効率よく当たるように、風向きを規定する第１規定部と、
前記熱交換器用パイプの上方に設けられていて、前記吸湿ロータを通過することによって高温多湿となった循環空気を、前記熱交換器用パイプに送る熱交換器ケースと、
前記熱交換器用パイプの上部側と連結され、前記熱交換器ケースを通じて送られてきた循環空気を送るための、当該熱交換器用パイプの各パイプに連結される複数の孔が設けられている上部熱交換器ホルダと、
前記熱交換器用パイプの下部側と連結され、前記熱交換器用パイプの各パイプに連結される複数の孔が設けられている下部熱交換器ホルダと、
前記下部熱交換器ホルダを経由した循環空気を前記後ファンに向けて排出すると共に、前記熱交換器用パイプのパイプ内の結露水を容器に排出する排出ダクトと、
前記ＡＣモータに対応する大きさの窪部及び当該ＡＣモータに接続されるシャフトを通す開口部が形成されていて、かつ、前記ＡＣモータの外周を覆う部分に前記熱交換器用パイプを冷却するための外気を通す開口部が設けられている、ＡＣモータを収容するモータケースと、
前記モータケースの端部に設けられていて、前記熱交換器用パイプを冷却する冷却用の空気が、当該熱交換器用パイプに対して効率よく当たるように、風向きを規定する第２規定部と、
前記モータケースの窪部を受ける開口部が形成されていて、かつ、上部で前記排出ダクトと連結されていて前記後ファンから送られてくる循環空気を通気に送る開口部が形成されている、前記後ファンを収容する第３ファンケースと、
中央部分に孔が設けられていて、この孔内に対して、前記ＡＣモータに接続されているシャフトが通された状態で、前記後ファンを前記ＡＣモータに連結するファン固定プレートと、
前記後ファンを挟み込む態様で、前記第３ファンケースに取り付けられるファンケースカバーと、を備え、
前記前ファンと前記中ファンと前記後ファンは、直径比率が１：１．２〜１．４：１．１〜１．３であって、かつ、幅比率が１：１．１〜１．３：０．７〜０．９であり、
前記第１ファンケース及び前記第２ファンケースは、その上部に、前記前ファンを回転させることによって、処理後の空気を排出する際の流路を規定する規定部が設けられていて、
除湿された空気が前記第１ファンケースと前記前ファンとの隙間を通り排出され、かつ、前記冷却用の空気が、前記除湿対象の空気とは異なるルートで排気され、
前記ＡＣモータの外周を覆う部分に前記熱交換器用パイプを冷却するための外気を通す開口部が設けられている除湿装置。
【国際調査報告】
2009087779.tif 000009
2009087779.tif 000010